(57)【要約】 【課題】本発明は産業廃棄物である紙粉を原料として利用出来ると共に極めて廃油を効率良く吸着処理でき、且つ生ゴミと一緒に燃やす家庭用ゴミとして出すことが可能となり、更に安価に製造出来る廃油処理袋を提供することを目的とする。【解決手段】上方に開口部1aを有すると共に耐油性で且つ紙製の外袋１と、紙粉の吸着材３を収納すると共に油の吸収性が良好な紙製の内袋２とから成り、且つ、該内袋２を外袋１に収納したものとする。また内袋２の代りに、油の吸収性が良好な紙シートを用い、それに吸着材３を包むものとしても良く、その吸着材５０ｇ〜２００ｇを内袋２に収納すると良い。更に開口部1aが封鎖されるための封鎖片４を外袋１の上端に延出させ、且つその先端に両面粘着テープ５を貼着したものとしても良い。【選択図】図１
2006263571.tif 000002
【特許請求の範囲】
【請求項１】
上方に開口部（1a）を有すると共に耐油性で且つ紙製の外袋（１）と、紙粉の吸着材（３）を収納すると共に油の吸収性が良好な紙製の内袋（２）とから成り、且つ、該内袋（２）を前記外袋（１）に収納したことを特徴とする廃油処理袋。
【請求項２】
前記内袋（２）が油の吸収性が良好な紙シートであり、且つそれによって前記吸着材（３）が包まれた請求項１記載の廃油処理袋。
【請求項３】
前記吸着材（３）が、前記内袋（２）に５０ｇ〜２００ｇ収納された請求項１又は２記載の廃油処理袋。
【請求項４】
前記外袋（１）の上端には、前記開口部（1a）が封鎖される封鎖片（４）を延出させ、且つ該封鎖片（４）の先端に両面粘着テープ（５）を貼着した請求項１記載の廃油処理袋。
【発明の詳細な説明】
【技術分野】
【０００１】
本発明は家庭で生じた食用油の廃油を効率良く吸着して処理し、且つ生ゴミと一緒に一般ゴミとして出すことが出来る廃油処理袋に関する。
【背景技術】
【０００２】
従来、可燃性ゴミとして処理することが可能な廃油処理袋として、特開平８−２６８５０２号がある。これはプラスチックフィルム製またはラミネートフィルム製で且つ上方に開口部を有する袋内に、ロールティッシュペーパーの製造時に生ずる端材を１または複数収納するものであった。
【０００３】
しかしながら近年に於いて、プラスチックは生ゴミと一緒に出せない市町村が増えているため、特開平８−２６８５０２号は外袋がプラスチック製またはラミネートフィルム製であり、通常の燃やすゴミとして出せないケースが多くなっている。また前記外袋がラミネート加工したものは、コストが高く、袋に油が滲み出て、処理しにくいものも生じていた。
【０００４】
尚、製本の工程に於いて、紙を切断する際に発生する多量の紙粉は、燃やすと粉塵爆発を起こし易いため、焼却処分ができず、この産業廃棄物の処理に困っていた。又、この紙粉の排出量は、例えば、ある製本業社１社だけで１週間に約４トンも排出され、紙粉の回収後の処理に困っているのが現状である。このため、製本などの業界から紙粉の有効利用或いは有効処理が要望されていた
【特許文献１】特開平８−２６８５０２号公報
【発明の開示】
【発明が解決しようとする課題】
【０００５】
本発明は産業廃棄物である紙粉を原料として利用し、極めて廃油を効率良く吸着処理し且つ生ゴミと一緒に燃やす家庭用ゴミとして出すことが出来ると共に安価に製造出来る廃油処理袋を提供することを目的とする。
【課題を解決するための手段】
【０００６】
本発明は上記要望に応えるために成されたものであり、つまり、上方に開口部を有すると共に耐油性で且つ紙製の外袋と、紙粉の吸着材を収納すると共に油の吸収性が良好な紙製の内袋とから成り、且つ、該内袋を外袋に収納したものとする。また内袋の代りに、油の吸収性が良好な紙シートを用い、それに吸着材を包むものとしても良く、その吸着材５０ｇ〜２００ｇを内袋に収納すると良い。更に開口部が封鎖されるための封鎖片を外袋の上端に延出させると共にその先端に両面粘着テープを貼着したものとしても良い。
【発明の効果】
【０００７】
請求項１のように上方に開口部（1a）を有すると共に耐油性で且つ紙製の外袋（１）と、紙粉の吸着材（３）を収納すると共に油の吸収性が良好な紙製の内袋（２）とから成り、且つ、該内袋（２）を外袋（１）に収納することにより、産業廃棄物である紙粉が原料として利用されるものとなるため、資源の有効利用が可能となり、自然にやさしい商品となる。また原料の回収手数料が手に入り、且つ製造コストが余り掛らないため、安価な廃油処理袋を提供することが可能となる。しかも吸着材（３）の廃油の吸着効率が極めて良好であると共に本発明品全体が紙製であるため、生ゴミと一緒に燃やすゴミとして出せるものとなり、且つ廃油を吸着した廃油処理袋は、生ゴミと一緒に簡単に捨てることが出来るものとなる。
【０００８】
請求項２のように内袋（２）の代りに、油の吸収性が良好な紙シートを用い、それに吸着材（３）を包むだけで良くなるため、より安い商品として提供することが可能となる。
【０００９】
請求項３に示すように吸着材（３）５０ｇ〜２００ｇを内袋（２）に収納することにより、従来の廃油処理袋よりも小型化できると共に廃油の吸着量も増加するものとなる。また必要に応じた廃油の吸着量の製品として選択出来るものとなる。
【００１０】
請求項４に示すように外袋（１）の上端に、開口部（1a）が封鎖される封鎖片（４）を延出させ、且つ該封鎖片（４）の先端に両面粘着テープ（５）を貼着することにより、開口部（1a）を閉じた後に両面粘着テープ（５）を貼着すれば、開口部（1a）から廃油が漏れにくくなり、取扱いがより簡単なものになる。
【発明を実施するための最良の形態】
【００１１】
図１は本発明の実施形態を示す図であり、これについて説明する。（１）は上方に開口部（1a）を有すると共に耐油性で且つ紙製の外袋であり、該外袋（１）にはマチ入りの袋を用いると良い。前記外袋（１）としては市販されている耐油性で且つ紙製のものを用いれば良い。（２）は外袋（１）に収納する内袋であり、該内袋（２）には油の吸収性が良好な紙製のものを用いるのが好ましいが、内袋（２）の代りに吸収性の良好な紙シートを用い、後述する吸着材（３）が所定量包まれたものとしても良い。また前記内袋（２）としては、キッチンペーパーの材質と同じもので袋に形成すると良い。（３）は内袋（２）に収納する紙粉の吸着材であり、該吸着材（３）としては内袋（２）に５０ｇ〜２００ｇ収納すると良いが、特には１５０ｇが好ましい。この時、吸着材（３）が５０ｇ以下になると、廃油の吸着量が少な過ぎ、大きめなフライパンを使用した時の廃油に対応できなくなる恐れを生じ、一方、２００ｇ以上になると、廃油の吸着量が多くなり、家庭用に使用すると、いつまでも廃油処理中のものを置いておかなければならず、目障りとなる。又、この吸着材（３）としては、製本の工程に於いて、紙が切断される際に発生する紙粉を用いるのが好ましいが、この紙粉に限らず、切れ端の紙を細かく切断して紙粉にしたものを用いても良い。（４）は開口部（1a）を封鎖するために外袋（１）の上部に延出させて設けた封鎖片であり、該封鎖片（４）は外袋（１）の材質と同じものを用い、その幅は図２に示すように開口部（1a）の一辺分としているが、一辺よりも細いものとしても良い。（５）は封鎖片（４）の先端に貼着した両面粘着テープである。（６）は吸着材（３）を内袋（２）に収納した際にする封鎖或いは紙シートで所定量の吸着材（３）を包んだ際にそれが外に出ないようにするための係止具であり、該係止具（６）としては、紙製粘着テープなどを用いると良い。
【００１２】
次に本発明品を使用する場合について説明する。先ず始めに外袋（１）の開口部（1a）を開き、上方から廃油を注入する。これを繰返して、廃油が５００ｇ前後注入された後、一般に開口部（1a）を閉じ、且つ両面粘着テープ（５）の剥離紙を剥がして、封鎖片（４）を外袋（１）に貼着して固定する（図３参照）。これで廃油の処理は終了であり、この状態で燃やすゴミとして通常の家庭用ゴミと一緒に出せば良い。
【００１３】
次に従来品と本発明品との廃油の吸着量について比較実験した。予め従来品としては、製造元が服部製紙株式会社で、販売元が株式会社カワタキコーポレーションの油処理袋を用意した。この外袋（１）の内部にはロールティッシュペーパーの端材が２個収納されており、その重量は１３０ｇであった。また本発明品として、従来品の重量と同じ１３０ｇの吸着材（３）を内袋（２）に収納した。先ず各廃油処理袋の開口部（1a）を開き、上方から廃油を５００ｇ注入する。すると、本発明品は全ての量を直ぐに吸い込んだが、従来品は一度袋内に油が溜り、２５秒後になって全ての量が吸い込まれた。この時、本発明品の廃油の吸着状態を確認するために、内袋（２）から吸着材（３）を取出して吸着状態を確認した所、中央部には廃油が吸着されておらず、未だ吸着する余裕があることが分った。このため、更に本発明に於いて、吸着材（３）を１００ｇに減量させ、それが内袋（２）に収納されたものを用い、上記同様に廃油を５００ｇ注入してみたところ、３０秒後になって全て吸い込んだ。このように本発明で使用する紙粉の吸着材（３）の吸着量が、従来品よりも３割前後アップすることが確認出来た。
【産業上の利用可能性】
【００１４】
本発明品は、食用油だけでなく、例えば汚れたエンジンオイルや汚れた洗浄油などを捨てる際に用いることが可能なものとなる。
【図面の簡単な説明】
【００１５】
【図１】本発明の実施形態を示す説明図である。
【図２】本実施形態の吸着材が収納される状態を示す説明図である。
【図３】本発明品が捨てられる状態の外形を示す説明図である。
【符号の説明】
【００１６】
１  外袋
1a  開口部
２  内袋
３  吸着材
４  封鎖片
５  両面粘着テープ
【図１】
2006263571.tif 000003
【図２】
2006263571.tif 000004
【図３】
2006263571.tif 000005